(57)【特許請求の範囲】
【請求項１】
身体に装着される携帯機器に電源を供給するバッテリーを含むコントロールユニットを収納する収納ケースであって、
少なくとも、前記コントロールユニットに設けられるスイッチ操作部に対向する部分が透明または半透明の可撓性の素材により構成されるケース本体と、
前記コントロールユニットから前記携帯機器へ電力を供給するケーブルを引き出すよう前記ケース本体に形成される第１開口と、
前記バッテリーを充電する充電コードを前記コントロールユニットから引き出すよう前記ケース本体に形成される第２開口と、
前記ケース本体を使用する使用者の着衣の背中側に係止又は接着させる装着部材と、
を備えたことを特徴とするコントロールユニット収納ケース。
【請求項２】
前記ケース本体を軟質性プラスティック製のバッグで構成することを特徴とする請求項１に記載のコントロールユニット収納ケース。
【請求項３】
前記装着部材は、前記着衣と前記ケース本体とを面接着する両面テープ又は面ファスナーであることを特徴とする請求項１に記載のコントロールユニット収納ケース。
【請求項４】
前記携帯機器は、操作者が頭部に被るヘルメットやヘッドバンド、又は眼鏡フレームに装着されるＬＥＤライトであって、
前記コントロールユニットは、前記スイッチ操作部への操作に応じて、前記ＬＥＤライトへの電力供給の制御を行なうことを特徴とする請求項１に記載のコントロールユニット収納ケース。
【請求項５】
前記携帯機器は、身体に装着されるカメラであって、
前記コントロールユニットは、無線ＬＡＮによってリモート撮影や画像転送を行うことを特徴とする請求項１に記載のコントロールユニット収納ケース。
【発明の詳細な説明】
【技術分野】
【０００１】
本発明は、身体に装着して使用される携帯機器に電源を供給するコントロールユニットの収納ケースに関する。
【背景技術】
【０００２】
携帯機器を使用者の身体に装着してリモートでこの機器の動作を制御するシステムが種々の分野で実用に供されている。
【０００３】
例えば、医療や精密加工の分野、又は工事分野などにおいては、作業者が両手を自由に使えて且つ視線の方向に正確にスポット照明できるようにした携帯用の照明機器が知られている。このような照明機器では、給電用のバッテリーを内蔵することでモバイル性を高めているが、その場合、照明部本体と、バッテリーと、操作スイッチを含む照明制御部とが一体となるため装置が大型化してしまい、これを頭部で支えると首への負担が大きく作業能率が悪いものとなる。特に、長時間の作業に用いるには大容量のバッテリーを内蔵しなければならず、作業者にとっての負担が大きい。
【０００４】
そのため、照明機器を照明部とバッテリー部とに分離して、照明部を作業者の頭部に装着し、バッテリー部を作業者の腰部等に装着するようにした照明機器が知られている（特許文献１を参照）。
【０００５】
そして、バッテリー部を腰部等の身体に装着する方法としては、腰部に券回するベルトによってバッテリーを保持する構成の医療用光源装置が知られている（特許文献２を参照）。
【先行技術文献】
【特許文献】
【０００６】
【特許文献１】特開２０１４−１００２０３号公報
【特許文献２】実用新案登録第３１６５６６３号公報
【発明の概要】
【発明が解決しようとする課題】
【０００７】
しかしながら、特許文献１の照明機器によれば、照明動作を制御する制御装置は照明部と共に作業者の頭部に装着されているために、照明のオン・オフや照度の調節のためのスイッチ操作を行なおうとすれば、頭部に手を伸ばさなければならず操作しづらい欠点がある。そのため、作業補助者に操作して貰うようにすると、作業を行っている場合には、他者に頭部を触れられることでの作業への集中が途切れて作業効率の低下につながる。特に、医療手術のような精密作業においては、作業ミスにもつながりかねない。
【０００８】
また、特許文献２の照明装置によれば、照明制御装置であるコントロールユニットをバッテリー部と共にベルトで保持してリモート制御としているために操作が容易となる。しかしながら、このようなバッテリー保持ベルトは、コントロールユニットとバッテリーとを保持して、コントロールユニットとバッテリーの端子とを電気的に接続する複雑な構造を有するためにコストアップとなる。
【０００９】
本発明は、上記点に鑑みてなされたもので、バッテリーを備えたコントロールユニットを、ベルトのような特別な保持部材を用いずとも、簡単に作業者に装着することができるコントロールユニット収納ケースを提供することを目的としている。
【課題を解決するための手段】
【００１０】
上記課題を解決するために、本発明によるコントロールユニット収納ケースは、身体に装着される携帯機器に電源を供給するバッテリーを含むコントロールユニットを収納する収納ケースであって、少なくとも、前記コントロールユニットに設けられるスイッチ操作部に対向する部分が透明または半透明の可撓性の素材により構成されるケース本体と、前記コントロールユニットから前記携帯機器へ電力を供給するケーブルを引き出すよう前記ケース本体に形成される第１開口と、前記バッテリーを充電する充電コードを前記コントロールユニットから引き出すよう前記ケース本体に形成される第２開口と、前記ケース本体を使用する使用者の着衣の背中側に係止又は接着させる装着部材と、を備えたことを特徴としている。
【００１１】
このとき、前記ケース本体を軟質性プラスティック製のバッグで構成すれば、収納ケース自体が軽量となり、しかもコスト的にも有利である。
【００１２】
そして、前記装着部材には、前記着衣と前記ケース本体とを面接着する両面テープ又は面ファスナーを使用することで、係止部材を用いて係止するのと比べて軽量化できる。そして、軟質性プラスティック製のバッグによるケース本体と、両面テープによる装着部材の組み合わせで収納ケースを構成すれば、非常に安価である。
【００１３】
また、前記携帯機器は、操作者が頭部に被るヘルメットやヘッドバンド、又は眼鏡フレームに装着されるＬＥＤライトであって、前記コントロールユニットは、前記スイッチ操作部への操作に応じて、前記ＬＥＤライトへの電力供給の制御を行なう。よって、頭部や顔に装着するのはＬＥＤライトだけのため、使用者に負担が掛らない。
【００１４】
また、前記携帯機器は、身体に装着されるカメラであって、前記コントロールユニットは、無線ＬＡＮによってリモート撮影や画像転送を行う。これにより、カメラ操作を使用者の背中で行うことができ、コントロールユニットは、送られてきた画像を管理側のパーソナルコンピュータに送信することで、カメラを管理側のパーソナルコンピュータに繋がず、使用者の背中が画像の中継ポイントとなる。
【発明の効果】
【００１５】
本発明によるコントロールユニット収納ケースは、携帯機器にバッテリー電源を供給するケーブルを引き出すための第１開口と、バッテリーを充電する充電コードを引き出すための第２開口と、ケース本体を使用する使用者の着衣の背中側に係止又は接着させる装着部材と、を備えることで、コントロールユニットを収納して使用者の背中に簡単に装着することできる。よって、使用者にとって携帯機器を使用した身体の前面での作業に電気配線が障害となることがなく、フリーな作業空間が実現される。
【図面の簡単な説明】
【００１６】
【図１】本発明に係るコントロールユニット収納ケースにコントロールユニットを収納した状態を外観斜視図で示す。
【図２】ＬＥＤライトと、ＬＥＤライトに電力を供給するコントロールユニットの外観を斜視図で示す。
【図３】ケース本体に設けられる装着部材の一例を示す。
【図４】コントロールユニットを収納しているコントロールユニット収納ケースを携帯機器の使用者に装着した状態の説明図を示す。
【図５】コントロールユニット収納ケースのケース本体を軟質性プラスティック製のバッグで構成した例の説明図を示す。
【図６】カメラと、カメラに電力を供給するコントロールユニットの外観を斜視図で示す。
【発明を実施するための形態】
【００１７】
以下、本発明の実施の形態について、図面を参照しながら説明する。
【００１８】
図１は、本発明に係るコントロールユニット収納ケース１（以下、単に「収納ケース」という）の外観を斜視図で示しており、収納ケース１には図２で示すコントロールユニット２が収納されている。
【００１９】
本例でのコントロールユニット２は、使用者の身体に装着される照明機器に電源を供給する。コントロールユニット２は、筐体１０の中にバッテリーを備え、筐体１０の表面に配置している電源スイッチＳ１や光量増減スイッチＳ２の操作に応じて、ケーブル１１を通して照明機器へ電力を供給する。すなわち、電源スイッチＳ１が押圧操作される度に照明機器のオン・オフを制御すると共に、光量増減スイッチＳ２が操作される度に照明機器の照度を大・中・小の３通りのモードに順次繰り返して切り換える制御を行なう。このとき、コントロールユニット２は、光量増減スイッチＳ２の操作により切り換えた照度を３個のインジケータＩ１、Ｉ２、Ｉ３の何れかの点灯で表示する。また、コントロールユニット２は充電ケーブル１２を備えて、その先端に装着されている充電プラグ１４をＡＣ電源１７に接続されているＡＣアダプタ（充電器）１６に差し込むことでバッテリーへの充電が行われる。
【００２０】
使用者の身体に着用される照明機器としては、医療手術時に術者が掛ける眼鏡フレームに取り付けられるＬＥＤライトがある。図２に示すように、ＬＥＤライト５は眼鏡フレーム３のブリッジ４に取り付けられて、眼鏡フレーム３のリム５には、ケーブル１１の先端に装着されているプラグ６が差し込まれるコネクタ７が設けられて、リム５の上辺の内部には、コネクタ７とＬＥＤライト５との間の配線を通す空間が形成されている。そして、眼鏡フレーム３に嵌め込まれる左右のキャリアレンズ８には、それぞれルーペ９が装着されており、ＬＥＤライト５はルーペ９を通した術者の視線の先をスポット照明する。また、照明機器を使用者の身体に着用する他の例としては、使用者が頭部に被るヘッドバンドや帽子等がある。
【００２１】
収納ケース１のケース本体２０は箱体形状を有し、表側の面には、コントロールユニット２を収納したとき、スイッチ操作部である電源スイッチＳ１や光量増減スイッチＳ２、及びインジケータＩ１、Ｉ２、Ｉ３と対向する部分を透明または半透明の可撓性の素材で構成している。これにより、これらスイッチの操作者は、ケース本体２０の表面上から電源スイッチＳ１や光量増減スイッチＳ２を操作することができる共に、インジケータＩ１、Ｉ２、Ｉ３の点灯状態を視認することができる。
【００２２】
そして、ケース本体２０の上側平面には、ケーブル１１を通すための開口１８、下側平面には、充電ケーブル１２を引き出すための開口１９がそれぞれ形成されている。加えて、ケース本体２０の一方の側面は一辺のみが表側の面に連通して折り曲げられており、他の三辺は全て上下側の各平面及び裏側の面に対しては自由端で構成されている。よって、このケース側面は、ケース本体２０の開口部２５を開閉する蓋体２２となっており、コントロールユニット２をケース本体２０内に挿入し、蓋体２２の折込片２３をケース本体２０内に差し込むことでケース本体２０はコントロールユニット２を収納して保持する。または、折込片２３の裏面をケース本体２０の裏側面に被せて接着させる。この場合の接着には面ファスナーが用いられる。
【００２３】
そして、ケース本体２０は、使用者に装着されたとき、使用者の身体と接する裏側の面には装着部材を備えている。装着部材は、例えば、図３に示すようなバネ性を有するクリップ２７で構成される。クリップ２７は、着衣の一部を挟持することでケース本体２０を着衣に係止させる。また、装着部材に係止片を用いて、着衣に設けたポケットや切り込み等に引掛けて係止させることもできる。さらに、コントロールユニット２を収納している収納ケース１の脱落を確実に防止するには、ケース本体２０の上部に紐通し部２１としてのリングを設けて、このリングを通した紐を使用者の首等に掛けておくとよい。
【００２４】
装着部材としては、クリップや係止片等で係止させる以外にもケース本体２０と着衣とを面接着させる構成であってもよい。最も簡単なのは両面テープを用いて、ケース本体２０の裏面を着衣に接着させる方法がある。また、面ファスナーを用いて、着衣とケース本体２０の裏面とを接着してもよい。さらに、面接着させる装着部材の他の例としては、着衣とケース本体２０の両方にそれぞれ設けるボタン及びボタンホールや、スナップボタン等がある。そして、着脱自在とするこのような装着部材以外にも、最初から着衣にケース本体２０が縫合や接着により固着する装着部材であってもよい。
【００２５】
ケース本体２０を使用者に装着する場合に、着衣の背中側に係止又は面接着させるとよい。術者の身体の背中に装着すれば、コントロールユニット２が手術を行う術者の手の動きの邪魔にならない。そして、手術の補助者がコントロールユニット２を操作しても、背中側であるため術者は煩わしさを感じることなく手術を続行することができる。しかも、背中側は不衛生となっても、患者及び術者にとっても衛生上の問題を生ずることがない。また、医療手術のように使用者が前屈みの作業を行うような場合は、コントロールユニット２を背負うことになるため、係止が外れたり接着が剥がれたりしにくくなる。
【００２６】
図４は、コントロールユニット２を収納している収納ケース１を使用者３０に装着した状態を示している。コントロールユニット２のケーブル１１は、開口１８を通して収納ケース１から引き出され、プラグ６を眼鏡フレーム３のプラグ６に差し込むことで、ＬＥＤライト５はコントロールユニット２と電気的に接続される。一方、充電ケーブル１２も開口１９を通して収納ケース１から引き出されるが、バッテリーの残量に応じて適宜、充電プラグ１３をＡＣアダプタ（充電器）１６に接続することで充電される。よって、使用者にとって機器を使用しながらの身体の前面での作業にケーブル１１や充電ケーブル１９が障害となることがなく、フリーな作業空間が実現される。
【００２７】
収納ケース１のケース本体２０は、上記した箱体形状とは限らず、図５に示す一般に「ビニール袋」と称される透明または半透明な軟質性プラスティックのバッグであってもよい。ビニール袋は、チャック２６によって密封される上部開口２９からケーブル１１が引き出され、その下部には充電ケーブル１２を引き出すための開口が形成されている。
【００２８】
そして、ビニール袋の使用者の身体と接触する側の面の表面には、装着部材の一例として説明した両面テープ２８が付着されている。ビニール袋は、軽量且つ可撓性を有して変形性が良いため接着面になじみ、両面テープ２８を通して良好に着衣と接着する。また、ビニール袋の上から電源スイッチＳ１や光量増減スイッチＳ２の操作も簡単に行える。そして、使用者の着衣の背中側に接着させることで、使用者は前屈みの作業においては、コントロールユニット２が収納されているビニール袋を背負うことになるため剥がれにくく、両面テープでも充分に保持効果を発揮することができる。さらに、ビニール袋の上部に紐通し部２１としての孔部を設けて、この孔部を通した紐を使用者の首等に掛ければコントロールユニット２が床に脱落することが確実に防止できる。
【００２９】
また、ビニール袋は、安価であることから容易に使い捨てが利き、病院での一回の手術で使い捨てる手術着へ装着するときには、手術着といっしょに破棄できる利点がある。このように医療用途で収納ケース１を使用する場合には、使用する都度その前に滅菌処理を施す必要があるが、使い捨ての利くビニール袋を使用すれば、このような手間を省略できる。
【００３０】
以上、使用者に着用される携帯機器としてはＬＥＤライトの例で説明したが、カメラの場合の例を説明する。図６は、ヘッドバンド３１に取り付けられた医療用カメラ３６を示しており、コントロールユニット３３は収納ケース１に収納されて、ケーブル１１を通して接続される。本例では、ヘッドバンド３１にはカメラ３６と共にＬＥＤライト３２が一体にして取り付けられて、共にコントロールユニット３３から給電されて駆動する。また、収納ケース１は、上記で説明した箱体形状又はビニール袋で構成される。
【００３１】
カメラ３６及びコントロールユニット３３にはＷｉＦｉ（無線ＬＡＮ）機能を搭載して、リモート撮影や画像転送を行ようにしている。加えて、コントロールユニット３３は、収納ケース１の表面からタッチパネル画面３４の操作によりカメラ３６のズームや焦点距離等の調整、及びＬＥＤライト３２のオン・オフや照度を指定可能に構成している。そして、コントロールユニット３３は、送られてきた画像を管理側のパーソナルコンピュータ３５に送信することで、カメラ３６をパーソナルコンピュータ３５に繋がずとも、収納ケース１を利用して使用者の背中を画像の中継ポイントとして撮像画像を送ることができる。
【００３２】
本発明は上記実施形態に限定されるものではなく、本発明の趣旨に基づき種々の変形が可能であり、これらを本発明の範囲から排除するものではない。
【産業上の利用可能性】
【００３３】
本発明は、身体に装着される携帯機器に電源を供給するバッテリーを含むコントロールユニットを収納する収納ケースに関し、産業上の利用可能性を有する。
【符号の説明】
【００３４】
１      コントロールユニット収納ケース
２      コントロールユニット
５      ＬＥＤライト（携帯機器）
１１    ケーブル
１２    充電コード
１８    第１開口
１９    第２開口
２０    ケース本体
２７    クリップ（装着部材）
２８    両面テープ（装着部材）
３３    コントロールユニット
３４    タッチパネル画面（スイッチ操作部）
３６    カメラ（携帯機器）
Ｓ１    電源スイッチ（スイッチ操作部）
Ｓ２    光量増減スイッチ（スイッチ操作部）
【要約】
【課題】バッテリーを特別な保持部材を用いずとも手軽に身体で保持することができる着用型照明装置を提供することを目的としている。
【解決手段】使用者の身体に装着される携帯機器に電源を供給するバッテリーを含むコントロールユニット２を収納する収納ケース１は、コントロールユニット２に設けられるスイッチ操作部に対向する部分が透明または半透明の可撓性の素材により構成されるケース本体２０を備える。ケース本体２０は、コントロールユニット２から携帯機器へ電力を供給するケーブル１１を引き出すための開口１８と、バッテリーを充電する充電コード１２を引き出すための開口１９とが形成される。そして、ケース本体２０は、収納ケース１０を携帯機器の使用者の着衣の背中側に係止又は接着させるための装着部材２７を裏面に設けている。
【選択図】図１【図１】
0005737774.tif 000002
【図２】
0005737774.tif 000003
【図３】
0005737774.tif 000004
【図４】
0005737774.tif 000005
【図５】
0005737774.tif 000006
【図６】
0005737774.tif 000007